(57)【要約】  画像を取り込むように構成されたカメラを含む複数のセンサが、複数の乗り物車両の動作に関するデータを取得するように構成される。複数の乗り物車両の各々の制御機構には、データに基づいて動作を制御するように構成された制御システムが通信可能に結合される。ワークステーションが、位置情報に基づいて乗り物車両の動きを模倣するように構成されたアニメーション効果を奏する乗り物車両のアニメーション表現を示す少なくとも１つのインターフェイスパネルを含む。ワークステーションの先には、オペレータが観察できるように行列内のビューの１又は２以上のパネルディスプレイが位置する。ビューの一部は、カメラフィード及びグラフィックインジケータに対応する。【選択図】図１
2019535425.tif 000002
【特許請求の範囲】
【請求項１】
乗り物制御システムであって、
コース内に位置して該コース内を移動するように構成された複数の乗り物車両と、
前記複数の乗り物車両が前記コース内を移動する際に該複数の乗り物車両の動作に関するデータを取得するように構成された、画像を取り込むように構成されたカメラを含む複数のセンサと、
前記複数の乗り物車両の各々の制御機構に通信可能に結合されて、前記データに基づいて該複数の乗り物車両の各々の側面の動作を制御するように構成された制御システムと、
前記乗り物車両が前記コース内を移動する際に、該乗り物車両のアニメーション表現を提供するように構成された少なくとも１つのインターフェイスパネルを含むワークステーションであって、該アニメーション表現のアニメーション効果は前記データからの位置情報に基づいて該乗り物車両の動きを模倣するように構成される、ワークステーションと、
前記ワークステーションのオペレータ座席エリアに座って前記少なくとも１つのインターフェイスパネルに向き合ったオペレータが観察できるように該ワークステーションの向こうに配置された１又は２以上のパネルディスプレイと、を備え、
前記１又は２以上のパネルディスプレイは、行列内に複数のビューを提示するように構成され、該ビューの少なくとも一部は、カメラからのフィードに対応し、前記制御システムは、前記データに基づいて、前記乗り物車両の画像が存在すべきビュー内にグラフィックインジケータを提供するように構成される、
乗り物制御システム。
【請求項２】
前記行列内の前記複数のビューは、前記コースの進行に基づいて左から右及び上から下に連続するカメラ視野の順序で配置される、請求項１に記載の乗り物制御システム。
【請求項３】
カメラフィードに対応する前記複数のビューの各々は、関連するカメラのグラフィックラベルを含み、該グラフィックラベルは、該関連するカメラを示す単なる数字又は文字である、請求項１に記載の乗り物制御システム。
【請求項４】
カメラ視野に対応するシーンに出入りする前記乗り物車両の入口位置及び出口位置を表す複数のグラフィックインジケータが提供される、請求項１に記載の乗り物制御システム。
【請求項５】
前記複数のグラフィックインジケータの少なくとも一部は、半透明としてレンダリングされる、請求項４に記載の乗り物制御システム。
【請求項６】
出口グラフィックインジケータは、前記行列内の他の複数のビューのうちの、対応する入口を含む次のビューへの参照を含む、請求項４に記載の乗り物制御システム。
【請求項７】
入口グラフィックインジケータは、前記行列内の他の複数のビューのうちの、対応する出口を含んでいた前のビューへの参照を含む、請求項４に記載の乗り物制御システム。
【請求項８】
前記１又は２以上のパネルディスプレイは、オペレータログインに基づいて該１又は２以上のパネルディスプレイの位置を自動的に調整するアクチュエータを含む、請求項１に記載の乗り物制御システム。
【請求項９】
前記ワークステーションは、単独画面とメニューパネルとの間に位置する概観パネルを含み、該概観パネル、該単独画面及び該メニューパネルの各々は、対応する下縁部が該ワークステーションの作業面に隣接し、対応する上縁部が前記オペレータ座席エリアから離れて該作業面の上方に位置し、後縁部が該作業面に対して鋭角を成すように後方に傾斜する、請求項１に記載の乗り物制御システム。
【請求項１０】
前記行列の最下列は、前記少なくとも１つのインターフェイスパネルの上方に明確に視認できる、請求項１に記載の乗り物制御システム。
【請求項１１】
前記複数のセンサの一部は前記乗り物車両上に存在し、該複数の乗り物車両の各々は、前記制御システム及び前記制御機構と連動するように構成された車両コントローラを備える、請求項１に記載の乗り物制御システム。
【請求項１２】
前記ワークステーション及び前記１又は２以上のパネルディスプレイは、前記コースから離れた制御室内に配置される、請求項１に記載の乗り物制御システム。
【請求項１３】
前記アニメーション表現上にデジタル的に重なり合った画像を表示するように構成された単独パネルを備える、請求項１に記載の乗り物制御システム。
【請求項１４】
前記デジタル的に重なり合った画像は、少なくとも１つの乗り物車両に関連する情報、特定のセンサに関連する情報、シーン名、前記コース沿いの構造的参照物、ショーイベントの名称若しくは状態、又はこれらの組み合わせを含む、請求項１３に記載の乗り物制御システム。
【請求項１５】
前記制御システムは、前の画像からのデータを記憶し、該記憶されたデータに基づいてゴースト画像を表示して異常な動きの検出を容易にするように構成される、請求項１３に記載の乗り物制御システム。
【請求項１６】
システムであって、該システムは、
コース内に位置して該コース内を移動するように構成された複数の乗り物車両に通信可能に結合された中央コントローラであって、該複数の乗り物車両の各々は、該複数の乗り物車両のそれぞれの動きを制御するように構成された車両コントローラを含む、中央コントローラと、
制御室内のワークステーションと、
前記複数の乗り物車両の各乗り物車両が前記コースに沿って移動する際に、センサフィードバックに基づく前記複数の乗り物車両のアニメーションを表示するように構成された１又は２以上のパネルを含む、前記ワークステーションのパネルインターフェイスと、
前記コース沿いに位置するカメラゾーンからのカメラフィードを提供する行列状のビューを含む１又は２以上のパネルディスプレイと、を備え、
前記ビューは、前記コースに沿って進む前記乗り物車両の対応する順序及び前記カメラゾーンにおける検出に従って左から右に及び上から下に順序付けられ、前記１又は２以上のパネルディスプレイは、前記ワークステーションのオペレータ座席エリアに座って前記パネルインターフェイスに向き合ったオペレータの視野と一直線上に該ワークステーションから一定距離だけ離れて位置する、
システム。
【請求項１７】
前記コース沿いに位置する複数のスピーカと、該複数のスピーカのうちの１つ又は２つ以上を作動させるように構成された前記ワークステーションのマイクとを備え、前記パネルインターフェイスの単独画面が、前記システムの選択されたカメラからのカメラフィードを表示するように構成される、請求項１６に記載のシステム。
【請求項１８】
前記単独画面が特定のカメラからの画像を表示しているときに前記マイクを作動させると、該特定のカメラに関連するマイクが作動する、請求項１７に記載のシステム。
【請求項１９】
前記制御室は、前記ワークステーションからの妨げられていない見通し線内に位置する前記１又は２以上のパネルディスプレイを含むアレイ壁を備える、請求項１６に記載のシステム。
【請求項２０】
コースに沿った複数の乗り物車両の各々の位置を識別するステップと、
前記複数の乗り物車両の各々の前記位置を、前記コースから離れて位置する中央コントローラに送信するステップと、
前記複数の乗り物車両の各乗り物車両が前記コースに沿って移動する際に、該複数の乗り物車両の各々の前記識別された位置に部分的に基づく該複数の乗り物車両のアニメーションを制御パネル上に生成するステップと、
前記制御パネルから前記複数の乗り物車両のうちの特定の乗り物車両のアニメーションが選択されたときに、該特定の乗り物車両の進行位置におけるカメラフィードを別個のディスプレイ上に表示するステップと、
を含む方法。
【発明の詳細な説明】
【技術分野】
【０００１】
〔関連出願との相互参照〕
本出願は、２０１６年１１月２１日に出願された「乗り物制御室のためのシステム及び方法（ＳＹＳＴＥＭＳ  ＡＮＤ  ＭＥＴＨＯＤＳ  ＦＯＲ  Ａ  ＲＩＤＥ  ＣＯＮＴＲＯＬ  ＲＯＯＭ）」という名称の米国仮特許出願第６２／４２４，８７０号に対する優先権及びその利益を主張するものであり、この文献は全ての目的でその全体が引用により本明細書に組み入れられる。
【０００２】
本開示は、一般にアトラクション制御システム及び方法に関し、具体的には、制御室からアトラクションを制御するシステム及び方法に関する。
【背景技術】
【０００３】
テーマパーク又は遊園地の乗り物アトラクションは、ますますその人気が高まってきている。多くの場合、遊園地の乗り物は、経路（例えば、鉄道又は線路）に沿って移動する乗り物車両(ride vehicles)を含む移動乗り物、モーションベースを含むことができる固定乗り物、又はこれらの組み合わせを含む。移動乗り物の経路は、異なる環境内（例えば、山頂、トンネル内、水中）に位置することができる。この経路沿いには、動くアクションフィギュア（例えば、アニマトロニクス）、ビデオスクリーンプロジェクション、音響効果及び水効果などの異なるタイプのショーイベントが存在することができる。一般に、遊園地の乗り物の制御及びモニタリングは中央コントローラ又はコンピュータを用いて行われる。例えば、中央コントローラは、関連する経路上の各乗り物車両の位置をリアルタイムでモニタすることができる。中央コントローラは、乗り物車両の位置に基づいてビデオ画面の投影などのショーイベントを引き起こすこともできる。多くの場合、このような制御システムは、経路沿いの様々な場所に取り付けられた複数のセンサを含み、各センサは、中央コントローラ又はコンピュータに通信可能に結合することができる。状況によっては、中央コントローラ又はコンピュータが制御室などの遠隔位置に位置することもできる。さらに、制御室からは、１人又は２人以上のオペレータが遊園地乗り物をモニタして制御することができる。従って、現在では、オペレータによる素早い制御動作を促す状況認識を容易にするシステム及び方法を提供することが有益であり得ると認識されている。
【発明の概要】
【課題を解決するための手段】
【０００４】
以下、当初の特許請求の範囲の主題と同一範囲のいくつかの実施形態を要約する。これらの実施形態は、本開示の範囲を制限するものではなく、むしろ開示するいくつかの実施形態の概要を示すものにすぎない。実際に、本開示は、以下に示す実施形態に類似することができる、又はそれとは異なることができる様々な形態を含むことができる。
【０００５】
１つの実施形態によれば、コース内に複数の乗り物車両が位置してコース内を移動するように構成される。画像を取り込むように構成されたカメラを含む複数のセンサが、複数の乗り物車両がコース内を移動する際に複数の乗り物車両の動作に関するデータを取得するように構成される。複数の乗り物車両の各々の制御機構(control features)には、データに基づいて複数の乗り物車両の各々の側面(aspects)の動作を制御するように構成された制御システムが通信可能に結合される。少なくとも１つのインターフェイスパネルを含むワークステーションが、乗り物車両がコース内を移動する際に、データからの位置情報に基づいて乗り物車両の動きを模倣するように構成されたアニメーション効果(animation effects)を奏する乗り物車両のアニメーション表現(animated representation)を提供するように構成される。ワークステーションの向こうには、ワークステーションのオペレータ座席エリアに座って少なくとも１つのインターフェイスに向き合ったオペレータが観察できるように、行列内に複数のビュー(views)を提示するように構成された１又は２以上のパネルディスプレイが位置し、ビューの少なくとも一部は、カメラからのフィードに対応し、制御システムは、データに基づいて、乗り物車両の画像が存在すべきビュー内にグラフィックインジケータを提供するように構成される。
【０００６】
システムが、コース内に位置してコース内を移動するように構成された複数の乗り物車両に通信可能に結合された中央コントローラを含み、複数の乗り物車両の各々は、複数の乗り物車両のそれぞれの動きを制御するように構成された車両コントローラを含む。このシステムは、制御室内のワークステーションと、複数の乗り物車両の各乗り物車両がコースに沿って進む際に、センサフィードバックに基づく複数の乗り物車両のアニメーションを表示するように構成された１又は２以上のパネルを含む、ワークステーションのパネルインターフェイスとを含む。さらに、このシステムは、コース沿いに位置するカメラゾーンからのカメラフィードを提供する行列状のビューを含む１又は２以上のパネルディスプレイを含み、ビューは、コースに沿って進む乗り物車両の対応する順序及びカメラゾーンにおける検出に従って左から右に及び上から下に順序付けられ、１又は２以上のパネルディスプレイは、ワークステーションのオペレータ座席エリアに座ってパネルインターフェイスに向き合ったオペレータの視野と一直線上にワークステーションから一定距離だけ離れて位置する。
【０００７】
１つの実施形態では、方法が、コースに沿った複数の乗り物車両の各々の位置を識別するステップと、複数の乗り物車両の各々の位置を、コースから離れて位置する中央コントローラに送信するステップと、複数の乗り物車両の各乗り物車両がコースに沿って進む際に、複数の乗り物車両の各々の識別された位置に部分的に基づく複数の乗り物車両のアニメーションを制御パネル上に生成するステップと、制御パネルから複数の乗り物車両のうちの特定の乗り物車両のアニメーションが選択された時に、特定の乗り物車両の進行位置(progressive locations)におけるカメラフィードを別個のディスプレイ上に表示するステップとを含む。
【０００８】
全体を通じて同じ部分を同じ符号によって示す添付図面を参照しながら以下の詳細な説明を読めば、本開示のこれらの及びその他の特徴、態様及び利点がより良く理解されるようになる。
【図面の簡単な説明】
【０００９】
【図１】本開示による乗り物制御システムの実施形態の概略図である。
【図２】本開示の実施形態による、ディスプレイシステムを含む図１の乗り物制御システムの制御室の斜視図である。
【図３】本開示の実施形態による、図２のディスプレイシステムのパネルインターフェイスの図である。
【図４】本開示の実施形態による、図２のディスプレイシステムの表示壁の概略図である。
【図５】本開示の実施形態による、ディスプレイパネル上に示される行列状のビューの概略図である。
【発明を実施するための形態】
【００１０】
以下、本開示の１又は２以上の特定の実施形態について説明する。これらの実施形態を簡潔に説明するために、本明細書では実施の全ての特徴を説明していない場合もある。あらゆる工学又は設計プロジェクトにおいて見られるようなあらゆるこのような実施の開発においては、実施によって異なり得るシステム関連及びビジネス関連の制約の順守などの開発者の個別の目的を達成するために、数多くの実施固有の決定を行わなければならないと理解されたい。さらに、このような開発努力は複雑で時間が掛かるものとなり得るが、本開示の恩恵を受ける当業者にとっては設計、製作及び製造という日常的な取り組みであると理解されたい。
【００１１】
本開示の実施形態は、制御室内の１人又は２人以上のオペレータが遊園地乗り物の乗り物監視及び／又は制御操作を行うために利用できる乗り物制御システムに関する。具体的に言えば、乗り物は、コース内に位置してコース内を移動するように構成された複数の乗り物車両を含むことができる。各乗り物車両の動きは、コース内の乗り物車両の運転及び停止などの外的動きと、乗り物車両の基部に対する乗客プラットフォームの回転及び傾きなどの内的動きとを含むことができる。とりわけ、乗り物制御システムは、乗り物が目的通りに（例えば、来園者を所望のエリア内に維持して予想経路に沿って所望のパラメータ内で制御されて）動作しているかどうかをモニタする連続的意思決定プロセスのために構成することができる。例えば、遠隔制御室から乗り物をモニタする人間オペレータは、コース沿いに配置された又は各乗り物車両に結合された１又は２以上のセンサから情報を受け取り、この受け取った情報を利用して、有効性、制御などのために乗り物をモニタすることができる。乗り物が目的通りに動作していないいくつかの状況では、オペレータが、乗り物及び／又はその特定の車両の動作を是正する是正措置（例えば、車両への制御信号の発信、乗客への指示の発行、車両の速度調整）を取ることができる。
【００１２】
いくつかの実施形態では、オペレータが、様々なディスプレイシステムを利用して遠隔制御室から乗り物をモニタし、意思決定プロセスを支援することができる。とりわけ、オペレータは、１又は２以上のセンサ（例えば、カメラ、動き検出センサ）から受け取った情報を利用して乗り物の環境及び状況を評価することができる。複合アトラクションでは、本実施形態による複数の制御／モニタリングサブシステムが、自動操作と人間による操作との組み合わせを容易にして望ましい動作状態を維持することができる。本質的に、乗り物システムなどは曖昧な動作状態の可能性を含み、これに対応するための目下の最良の選択肢は人間のオペレータである。実際に、人間は、最良の帰納的推理、弱い指示の評価、応答立案の柔軟性をもたらすことができる。このため、本実施形態は、アトラクションの制御に関する連続的意思決定を容易にするように人間オペレータによる視覚モニタリングを誘導することに関する。
【００１３】
いくつかの状況では、オペレータが、低信号対ノイズ比、（対象のサイズ、カメラ距離及び／又は画面サイズを原因とする、観察者の視野角に関する）小型サイズ、暗さに起因する低コントラスト、環境要因（例えば、煙、霧）、視覚的干渉（例えば、グレア、動的特殊効果、移動中の設備からの注意力散漫、自発的に動く複数の乗客）、及び／又は疑わしい映像に起因して、画面上に提供された画像を評価できないこともある。これらの及びその他の状況では、オペレータが、乗客の管理及び乗り物車両の動作に関する効率的な意思決定を行えないことがある。実際に、アトラクションをモニタするオペレータは、現状を評価して将来的な決定を行う時間がわずかしかないことがある。しかしながら、オペレータがさらに状況を評価する必要がある短い時間内では、少なくとも乗り物及び乗客が移動し続けていたという理由で、オペレータに示された画像及びその他のフィードバックにもはやアクセスできないこともある。
【００１４】
これらの及びその他の状況に対応するために、本開示は、制御室又は制御エリア内のオペレータの確固たる状況認識を促すシステム（例えば、ディスプレイシステム、作業インターフェイス、作業空間）に関する。本実施形態は、情報に基づく視覚モニタリングを容易にすることにより、オペレータが最終的な意思決定制御作業として適切な制御動作を実行するように促す。とりわけ、オペレータは、本実施形態によって容易になる状況認識により、アトラクションに関連する観察された状態を流れるように解釈して適切な制御動作を選択することができる。例えば、オペレータは、本開示の特徴により、状況を素早く評価してインターフェイスに関与し、オペレータが把握したものにおけるプロセスを直接的方法として操作することができる。さらに、オペレータは、本開示の特徴により、インターフェイスがどのようにプロセスへのマッピングを行うかに関する知識の習得、想起及び操作に相当な時間を費やす必要なく直観的にプロセスに関与することができる。実際に、本実施形態は、識別された問題に対処する効果を生み出す制御動作に関する信頼性及び正確性をもたらす直観的特徴を提供する。とりわけ、本開示のいくつかの実施形態は、１人及び／又は複数人のオペレータによる直観的なアトラクションのモニタリング及び制御を可能にする制御室及び制御インターフェイス（例えば、ハードウェア及び備品）の機構及び構成に関する。説明する実施形態における「制御室」は、例えば直接的なアトラクションの観察が実現又は実施不可能な時に１人又は２人以上のオペレータが使用できる、１又は２以上のアトラクション（例えば、乗り物及び乗り物車両）から離れた又は分離した観察エリア（例えば、部屋）とすることができる。
【００１５】
上記の内容を念頭に置き、図１に、本開示による乗り物制御システム１０の実施形態の概略図を示す。乗り物制御システム１０は、コース１３内に位置してコース１３内を移動するように構成された複数の乗り物車両（例えば、車両１１）を含む。コース１３は、空地、遊び場又は経路（例えば、鉄道、水路又は軌道）を含むことができる。いくつかの実施形態では、車両１１（例えば、カート、ボート又はそり）が、基部、基部上の乗客プラットフォーム（例えば、乗客が座る場所）、１又は２以上のアクチュエータ、ブレーキ、モータ、ステアリング装置（例えば、ハンドル）、及び／又は１又は２以上の車輪を含むことができる。各車両１１は、制御機構（例えば、モータ、アクチュエータ、リフト、ブレーキ）などの車両１１の１又は２以上の態様を制御するように構成された車両コントローラ１２に関連付けることができる。例えば、車両コントローラ１２は、メモリ１６に関連付けられたプロセッサ１４、トランシーバ１８、及び／又は位置追跡システム２０を含むことができる。さらに、いくつかの実施形態では、車両が、自律制御を容易にする特徴を含むことができる。
【００１６】
いくつかの実施形態では、車両コントローラ１２が、矢印２２によって示すようなコース１３に沿った一般的方向における車両１１の動きを調整することができる。例えば、車両コントローラ１２は、コース１３に沿った車両１１の外的動きを実現するように車両１１のモータ、ブレーキ及び／又は車輪を調整することができる。車両１１の外的動きは、車両１１の走行（例えば、加速、減速）、停止及び操舵を含むことができる。モータは、以下に限定するわけではないが、バッテリ、太陽電池パネル、発電機、ガスエンジン又はこれらのいずれかの組み合わせを含むあらゆる好適な電源で駆動することができる。ブレーキは、車両１１の１又は２以上の車輪に取り付けることができる。モータ及びブレーキの動作は、車両コントローラ１２によって制御することができる。例えば、車両コントローラ１２は、モータを制御してその出力を調整して車両１１を加速又は減速させることができる。車両コントローラ１２は、車輪に一定量の力を付与するようにブレーキを制御して車両１１を減速又は停止させることもできる。いくつかの実施形態では、車両コントローラ１２がステアリング装置を制御することもできる。なお、これらの車両コントローラ１２の機能及び本明細書で説明する他の機能は、中央コントローラが単独で管理することも、又は中央コントローラと共同で管理することもできる。
【００１７】
コース１３内には、以下でさらに詳細に説明するような１又は２以上のショーイベント２４を配置することができる。車両１１が方向２２に動いてショーイベント２４に近付くと、ショーイベント２４を開始して、車両１１内の乗客がショーイベント２４を眺め、聞き、及び／又はショーイベント２４と相互作用することができる。ショーイベント２４は、現実感及び効果を高めるために、車両１１の乗客プラットフォームの動き及び／又は車両１１の動きと同期させることができる。
【００１８】
いくつかの実施形態では、車両１１が、コース１３内の車両１１の位置をモニタする位置追跡システム２０を含む。以下でさらに詳細に説明するように、コース１３沿いには複数のセンサ２６を配置することができる。各センサ２６は、コース１３内の一意的な位置（例えば、１又は２以上の基準点に対する座標）を表し、或いは車両１１の現在の状態に関連する他のタイプのセンサフィードバックを収集することができる。例えば、センサ２６は、カメラ、動き検出器、加速度計、又は他の形のデータ収集装置を含むことができる。いくつかの実施形態では、センサ２６を、位置追跡システム２０と通信する位置インジケータとすることができる。車両位置追跡システム２０は、リーダを含む。車両１１がコース内を進んで位置インジケータに近付くと、リーダが位置インジケータを検知して車両１１の位置情報を提供することができる。その後、リーダは、この位置情報を車両コントローラ２０に提供する。
【００１９】
車両コントローラ２０は、オペレータによる車両１１との相互作用を可能にすることができる様々なコンポーネントを含むことができる。車両コントローラ１２は、分散制御システム（ＤＣＳ）、プログラマブルロジックコントローラ（ＰＬＣ）、或いは完全に又は部分的に自動化されたいずれかのコンピュータベースの装置などの自動コントローラ又は自動コントローラの組を含むことができる。例えば、車両コントローラ１２は、汎用又は特定用途向けプロセッサ１４を使用するいずれかの装置とすることができる。車両コントローラ１２は、本明細書で説明する車両１１のための方法及び制御動作を実行するためにプロセッサ１４が実行できる命令を記憶するメモリ１６を含むこともできる。プロセッサ１４は、１又は２以上の処理装置を含むことができ、メモリ１６（例えば、ハードドライブ）は、１又は２以上の有形の非一時的機械可読媒体を含むことができる。一例として、このような機械可読媒体は、ＲＡＭ、ＲＯＭ、ＥＰＲＯＭ、ＥＥＰＲＯＭ、ＣＤ−ＲＯＭ、或いはその他の光学ディスクストレージ、磁気ディスクストレージ又はその他の磁気記憶装置、或いは機械実行可能命令又はデータ構造の形の所望のプログラムコードを搬送又は記憶するために使用でき、プロセッサ３８又はいずれかの汎用又は専用コンピュータ、又はプロセッサを含む他の機械がアクセスできる他のいずれかの媒体を含むことができる。本明細書では、車両コントローラ１１（例えば、プロセッサ１４）を用いて機能を実行できるものとしていくつかの実施形態例を説明しているが、このような機能は、中央コントローラ３０が実行することも、及び／又中央コントローラ３０と車両コントローラ１２とが協働して実行することもできる。
【００２０】
いくつかの実施形態では、車両コントローラ１２が、中央コントローラ３０と無線で通信する車両トランシーバ１８を含むことができる。とりわけ、各車両１１は、中央コントローラ３０に通信可能に結合された車両トランシーバ１８を含むことができる。いくつかの実施形態では、各車両コントローラ１２と中央コントローラ３０との間に無線ネットワーク３２を構築することができる。中央コントローラ３０と各車両コントローラ１２との間では、無線ネットワーク３２を介してデータ及び／又はセンサフィードバックを転送することができる。車両コントローラ１２は、車両１１の状態を示すデータを中央コントローラ３０に転送することができる。このようなデータ及び／又はセンサフィードバックは、車両識別子、位置、速度、動的閉塞領域、進行方向、モータ出力、負荷状態、連続するリアルタイム画像又はフィード、又は写真などを含むことができる。
【００２１】
いくつかの実施形態では、中央コントローラ３０を、何らかの形でアトラクションから離れた／分離した位置又はエリア内に配置された制御エリア又は制御室３４内に配置することができる。例えば、制御エリア３４は、乗り物システムの少なくとも一部を直接的に視認できないこともある。実際に、アトラクションの全てのエリア（例えば、乗り物経路又はコースの長さに沿った全てのエリア）を直接視認することは多くの場合不可能であるため、アトラクションではしばしばこのようなことがある。いくつかの実施形態では、制御室３４が、制御／モニタリングシステム３８と連動する(interface with)ディスプレイシステム３６を含むことができる。制御／モニタリングシステム３８は、中央コントローラ３０、プロセッサ４０、メモリ４２、及び／又はトランシーバ４４を含むことができる。図２〜図４に関してさらに説明するように、中央コントローラ３０は、受け取ったデータ及び／又はセンサフィードバックに基づいて、ディスプレイシステム３６と連動して、アトラクションの確固たる状況認識を促す作業インターフェイスをオペレータに提供するように構成することができる。さらに、オペレータは、ディスプレイシステム３６及び制御／モニタリングシステム３８を利用して、連続したシームレスな意思決定プロセスのために現在の及び将来の状況を評価することができる。すなわち、利用可能なデータの容易な解釈及び効率的な意思決定を促すようにオペレータに情報を提供することができる。なお、制御システム３８は、広義にはディスプレイシステム３６を含むものとみなすこともできる。さらに、本開示におけるディスプレイシステム３６の制御及び動作態様に関する言及は、制御システム３８の特徴によって提供される機能を含むと解釈することもできる。例えば、ディスプレイシステム３６のパネル又はその他の特徴が動作する、又は動作を実行するように構成されているという説明は、制御システム３８の特徴部（例えば、プロセッサ４０）によって制御が行われる実施形態を含むと理解されたい。
【００２２】
中央コントローラ３０は、オペレータによる無線ネットワーク３２及び車両１１との相互作用を可能にすることができる様々なコンポーネントを含む。中央コントローラ３０は、分散制御システム（ＤＣＳ）、プログラマブルロジックコントローラ（ＰＬＣ）、或いは完全に又は部分的に自動化されたいずれかのコンピュータベースの自動化コントローラ又は自動化コントローラの組を含むことができる。例えば、中央コントローラ３０は、汎用又は特定用途向けプロセッサを使用するあらゆる装置とすることができる。中央コントローラ３０は、無線ネットワーク３２及び車両１１を含むシステムの方法及び制御動作を実行するためにプロセッサ４０が実行できる命令を記憶するメモリ４２を含むこともできる。プロセッサ４０は、１又は２以上の処理装置を含むことができ、メモリ４２は、１又は２以上の有形の非一時的機械可読媒体を含むことができる。一例として、このような機械可読媒体は、ＲＡＭ、ＲＯＭ、ＥＰＲＯＭ、ＥＥＰＲＯＭ、ＣＤ−ＲＯＭ、或いはその他の光学ディスクストレージ、磁気ディスクストレージ又はその他の磁気記憶装置、或いは機械実行可能命令又はデータ構造の形の所望のプログラムコードを搬送又は記憶するために使用でき、プロセッサ３８又はいずれかの汎用又は専用コンピュータ、又はプロセッサを含む他の機械がアクセスできる他のいずれかの媒体を含むことができる。
【００２３】
いくつかの実施形態では、オペレータが、制御システム３８を利用して、車両１１の動きを制御する命令（例えば、制御信号）を（制御室トランシーバ４４を介して）車両コントローラ１２に送信することができる。いくつかの実施形態では、中央コントローラ３０が、コース１３沿いの１又は２以上のショーイベント２４にも接続されてこれらの動作を制御する。ショーイベント２４は、ビデオ要素（例えば、画像又は動画の投影）、効果音、可動要素（例えば、アクションフィギュアの飛行、火山の噴火）、アニマトロニクス（例えば、歩く恐竜）、霞、霧、匂い、花火、又はこれらのいずれかの組み合わせを含むことができる。コースには、コントローラによって制御できるあらゆる好適なショーイベントを含めることができると想定される。
【００２４】
図２は、制御／モニタリングシステム３８の特徴とみなすことができるディスプレイシステム３６を含む、図１の乗り物制御システムの制御室３４の実施形態の概略図である。図示の実施形態では、ディスプレイシステム３６が、インターフェイスパネル（例えば、概観パネル５２、単独画面５４及び情報／メニューパネル５６）を有する３パネルインターフェイス５０と作業面５８とをそれぞれが有する２つのワークステーション４９を含む。制御室３４は、１又は２以上のパネルディスプレイ６２を有するアレイ壁(array wall)６０も含む。いくつかの実施形態では、制御室３４を１人のオペレータ６４向けに組織化して配置することもできる。図示の実施形態などの他の実施形態では、１人又は２人以上のオペレータ６４が、（例えば、オペレータ毎に１つの）複数の３パネルインターフェイス５０を含む制御室３４内で作業することができる。いくつかの実施形態では、（３パネルインターフェイスを含む）マルチパネルインターフェイスを使用することができる。なお、いくつかの実施形態では、各オペレータ６４が、オペレータの個人的選択（例えば、身長、視力）に合わせてカスタマイズできる個人用ディスプレイシステム３６を有することができる。さらに、制御室３４内では、各オペレータ６４が、以下に限定するわけではないが、機能的な座席エリア及び作業面５８を含む机などの備品の利用及びカスタマイズを行うこともできる。
【００２５】
図３は、本開示の実施形態による、図２のディスプレイシステム３６の３パネルインターフェイス５０の実施形態の概略図である。３パネルインターフェイス５０は、概観パネル５２と、単独画面５４と、情報／メニューパネル５６とを含む。図２に示す実施形態は、動作の効率性をもたらすと考えられる特定の構成のパネル（パネル５２、５４、５６）を有しているが、他の実施形態は異なる構成を含むことができる。さらに、ディスプレイシステム３６は、ソフトウェアの作動及び／又は機械的再配置を通じて表示機能の操作及び／又は切り替えを行えるように構成することができる。また、パネルの視野角及び一般的位置は、機械的に調整することもできる。本実施形態は、パネルを作業面５８に接続して動きの範囲内での調整を可能にする調整機構を含むことができる。また、図３に示すように、ディスプレイシステム３６は、作業面５８又はパネルと一体化できるコントロールカラム６６などの機械的作動パネルを含むこともできる。図示の実施形態では、コントロールカラム６６が、様々な物理的入力機構（例えば、ハードウェアボタン、スイッチ、スライド）を含んで概観パネル５２と一体化される。具体的に言えば、例えばコントロールカラム６６は、オペレータの（視覚的及び物理的）アクセスを容易にするように概観パネル５２の横の概観パネル５２と情報／メニューパネル５６との間に編成された非常停止作動機構（例えば、ボタン）を含むことができる。
【００２６】
図示の実施形態では、（例えば、従来の対角線測定に基づく概ね３２インチの画面サイズを有する）概観パネル５２が、他の２つのパネル間であってオペレータ６４の座席の正面に配置されている。概観パネル５２は、他の２つのパネル５４、５６と同様に、ユーザインタラクションを可能にするタッチ画面ディスプレイ又は他の何らかの制御パネルを含むことができるが、他の制御動作入力装置（例えば、トラックボール、キーボード、マイク、マウス）を使用することもできる。いくつかの実施形態では、概観パネル５２の位置及び配向を、オペレータ６４の選択に対応するように構成することができる。例えば、概観パネル５２は、オペレータ６４にとって好ましい位置に（例えば、座席の背もたれから離れずに指先が届く範囲内に）動かすことができる調整可能なディスプレイ（例えば、少なくとも調整可能な表示ピッチ）を含むことができる。１つの実施形態では、概観パネル５２が、下縁部６８が作業面５８に隣接し、上縁部７０がオペレータの座席エリアから離れて作業面５８の上方に位置し、作業面５８と概観パネル５２の後縁部７１と間に鋭角が定められるように後方に傾斜する。さらに、概観パネル５２は、概観パネル５２のグラフィック表示エリアの下部に詳細な情報を含むことができ、これによって１又は２以上のパネルディスプレイ６２を有するアレイ壁６０を妨げたり、又はアレイ壁６０のビューから注意が逸れるのを防ぐ。本実施形態は、概観パネル５２をこのように配置して、少なくともパネルのグラフィック表示エリアの下半分に詳細な情報を含めることにより、概観パネル５２との相互作用が望ましい時を除いてアレイ壁６０を優先させてそこへの集中力を高める。なお、縁部の参照数字６８、７０及び７１は、（図２に示すような）パネル５２、５４及び５６の各々の縁部を示すために使用したものである。
【００２７】
本実施形態によれば、概観パネル５２のグラフィックインターフェイスについては、アトラクション又は乗り物全体のアニメーション表現が示されると上述した。概観パネル５２は、このような資料を提示することによって定義することができる。概観パネル５２は、アトラクション内の実際の活動を模倣したアクティブな特徴（例えば、アニメーション）をグラフィック表示に提供することができるので、疑似パネルと呼ぶこともできる。例えば、図形的特徴７６によって表されるコース１３沿いの乗り物車両１１の位置、状態及び進行状況を概略的に反映するようにアニメーション７４をプログラムすることができる。
【００２８】
本実施形態は、制御システムの特徴をアトラクション又は乗り物システムの実際の態様に知的にマッピングする上での遅延を避けるように実際のプロセスとの相関性が高いクリアなインターフェイスを提供することによって、直観的な制御及びモニタリングを容易することができる。実際に、本実施形態は、オペレータがプロセスを直接操作していると感じるようにタッチ画面を介して選択できるグラフィックを生成することができる。例えば、概観パネル５２上の概略図上に、アクティブなグラフィック要素７８（例えば、カメラアイコン及び可視領域の描写）を用いてカメラゾーン（例えば、アトラクション全体を通じて配置された実際のカメラから見えるエリア）を表示することができる。オペレータ６４は、概観パネル５２と相互作用し、対応するアクティブなグラフィック要素７８を選択することによって特定のカメラゾーンに関与することができ、これによって対応するカメラ（又はカメラの組）が単独画面５４（及び／又はアレイ壁６０の突出部分）に表示されたフィードを有するようにすることができる。例えば単独画面５４上に見える現在選択されているカメラゾーンは、概観パネル５２上で視覚的に際立つことができる。例えば、選択されたカメラゾーンに関連するグラフィック要素７８は、一般に強調表示７９で示されるようなグラフィクを用いて強調表示することができる。別の例として、乗り物車両のアニメーション７４にタッチすると、実際の乗り物車両が様々な（例えば、連続的な又は一連の）対応するカメラゾーン内に存在するものとして識別された時に、カメラフィードの進行状況を単独画面５４に送信することができる。この機能は、「乗り物車両追跡」機能と呼ぶことができ、これを基本的にリアルタイムで行って、この機能を使用するオペレータ６４の効率性能を促すことができる。このように、ディスプレイシステム３６は、実際の乗り物車両１１がコース１３に沿って進む際にその画像を表示することができる。別の実施形態では、乗り物車両のアニメーション７４を選択すると、乗り物車両１１に結合されてアニメーション７４に関連する実際の車両１１の乗客又は運転状況を記録するカメラからのフィードを開始することもできる。
【００２９】
アクティブな（選択された）乗り物車両のアニメーション７４は、モニタリング又はその他の動作のために選択されている間、様々なアニメーションなどを用いて視覚的に際立つことができる（例えば、マイクによって車両のスピーカが作動した時には音を表すグラフィクスを示すことができる）。１つの実施形態では、乗り物車両のアニメーション７４を選択すると、選択された車両アニメーション７４に対応する実際の乗り物車両１１に配置されたカメラからの車両の乗員のカメラフィードが提供される。さらに別の実施形態では、乗り物車両のアニメーション７４を選択すると、対応する乗り物車両１１の制御（例えば、位置的制御）を開始することができ、或いはとりわけ特定の乗り物車両１１内の乗客とのコミュニケーションを促すことができる。いくつかの実施形態では、乗り物車両のアニメーション７４を選択すると、（例えば、プルダウンメニューを介した）利用可能な操作の選択を可能にすることができる。一方で、他の実施形態は、素早い応答を容易にするように素早い動作を開始することもできる。
【００３０】
なお、オペレータによる分析に値する状態が検出された（例えば、いくつかのセンサが、来園者が不適切な場所で乗り物車両から退出した可能性があるという理由で領域をさらに厳重に検査する必要があることを示す）時には、システムのいずれかの側面（例えば、カメラゾーン）の自動選択（又は他の表示の開始）を行うこともできる。いくつかの実施形態では、センサ２６が、コース１３沿いの３次元空間内に圧力センサ、光ビームセンサ、動き検出器及び無線フィールドセンサなどを含むことができる。いくつかの実施形態では、センサ２６が、監視カメラデータ（例えば、画像内の予期せぬデータ）の画像解析を行うように構成され、結果として得られた情報を中央コントローラ３０に通信することができる。実際に、センサ２６は、束縛限度(containment envelope)（例えば、コース１３）外への乗り物車両の逸脱、指定エリア外におけるアイテム又はコンポーネントの存在、及び／又は乗り物車両１１外のゾーンへの歩行者進入の兆候を検出することができる。センサ２６からの情報を利用して、原因に対して直観的に注意を向けるようにディスプレイシステム３６上に１又は２以上の車両をアニメ化することもできる。いくつかの実施形態では、乗り物概観パネル５２が、オペレータによる自動センサ２６からの指示の検討を促すために、オペレータ６４にとっての関心位置をディスプレイシステム３６上で見えやすいように強調表示することができる。例えば、自動的に検知された状態が中央コントローラに通信されて即時の自動制御コマンド（例えば、乗り物の安全な停止）を必要とする時には、概観パネル５２及び／又は情報／メニューパネル５６上に自動化状態を表示してコース１３沿いの開始センサ２６の位置を示すことができる。
【００３１】
上述したように、詳細ビューパネル５４又は単独パネル５４と呼ぶこともできる単独画面５４は、ディスプレイシステム３６に含まれて、ディスプレイシステム３６の他のコンポーネントと連動することもできる。単独パネル５４は、概観パネル５２と同様に、オペレータ６４の視野選択に対応するように物理的に調整可能とすることができる。１つの実施形態では、単独画面５４が、下縁部６８が作業面５８に隣接し、上縁部７０がオペレータの座席エリアから離れて作業面５８の上方に位置し、作業面５８と単独パネル５４の後縁部７１との間に鋭角が定められるように後方に傾斜する。いくつかの実施形態では、単独パネル５４及び概観パネル５２が、（概観パネル５２の左側又は右側で）接合して隅部を形成することができる。１つの実施形態では、単独パネル５４が、オペレータ６４が背もたれから離れる必要なく座ったままで指先が届く範囲内に位置する３２インチタッチ画面を含む。単独パネル５４は、単独画面上に特定のゾーンが表示されている時に、マイクを通じて開始されたあらゆる通信が表示ゾーンに関連するスピーカの作動に対応するようにマイク９２と協調することができる。例えば、特定の乗り物ゾーンのカメラフィードが単独パネル５４上にアクティブに表示されている場合、マイク９２を作動させると、この特定の乗り物ゾーンに関連するスピーカを通じて対応する音声を提供するようにデフォルト設定される。このように、来園者又は作業者（例えば、メンテナンスチームのメンバー）との直観的な（例えば、可聴及び／又は視覚）通信が行われる。しかしながら、他のスピーカオプションを提供してデフォルト構成を無視することもできる。
【００３２】
グラフィックインターフェイスについては、単独画面５４を利用して、乗り物車両、センサ、カメラ、カメラ番号、シーン名、ショーイベント及び／又は構造的参照物に関連する情報を単独画面５４上のラベルとしてデジタル的に重ね合わせることができる。単独画面５４は、このような資料を提示することによって定義することができる。例えば、単独画面５４を介して、選択されたアトラクションの特徴（例えば、選択されたカメラゾーン）に関連する情報を提供することができる。具体的には、例えばディスプレイシステム３６上で１又は２以上の乗り物車両がコース１３に沿って移動している時に、１又は２以上の乗り物車両のアニメーションと共にデジタル的に強制されたテキストデータを提供することができる。この機能は、オペレータ６４に通知を行うとともに、注意を必要とする特定のアトラクションエリアの実際の指示（例えば、メンテナンス、動作）を容易にするという二重機能の役割を果たすことができる。実際に、単独画面５４上で利用される用語は、動作に必要な指示、或いは特定の場所又は特徴（例えば、特定の制御パネル）に誘導する必要がある技術者に必要な指示に対応することができる。さらに、単独画面５４上のデジタルラベルの位置は、重要な詳細を覆い隠さないように配置することができる。例えば、単独画面５４は、異なるカメラ視野(camera views)の情報パターンをさらに示すキャプション位置を含むことができる。
【００３３】
上述したように、図示の実施形態では、ディスプレイシステム３６が、概観パネル５２を挟んだ単独パネル５４の反対側に配置できる、メニューパネル５６と呼ぶこともできる情報／メニューパネル５６も含む。メニューパネル５６は、概観パネル５２及び単独パネル５４と同様に、オペレータ６４の視野選択に対応するように物理的に調整することができる。１つの実施形態では、メニューパネル５６が、下縁部６８が作業面５８に隣接し、上縁部７０がオペレータの座席エリアから離れて作業面５８の上方に位置し、作業面５８とメニューパネル５６の後縁部７１との間に鋭角が定められるように後方に傾斜する。いくつかの実施形態では、メニューパネル５６及び概観パネル５２が、（概観パネル５２の左側又は右側で）接合して隅部を形成することができる。
【００３４】
このグラフィックインターフェイスについては、メニューパネル５６（例えば、３２インチディスプレイ）が、関連資料、選択可能な設定のためのセレクタ、制御動作のための入力、又はオペレータ６４に合わせてカスタマイズできる他の選択設定を提供して表示することができる。メニューパネル５６は、このような資料を提示することによって定義することができる。例えば、メニューパネル５６は、タッチ画面入力を通じて別のビュー／ウィンドウ（グラフィックディスプレイ）を開くタイル（選択可能なアイコン又はグラフィクス）、アトラクション全体を通じてスピーカを作動させるスピーカ制御セレクタ、手順呼び出しページ（グラフィックディスプレイ）、設備仕様ページ、及びチームメンバー忠告メモ(team member advisory memos)などを提供することができる。メニューパネル５６は、概観パネル５２では行われない（又はデフォルトの一部ではない）選択可能な制御動作設定のためのアクティブなグラフィック特徴（例えば、ソフトボタン及びスライダ）を表示するようにデフォルト設定することができる。メニューパネル５６のソフト制御は、制御システム３８に冗長性及び堅牢性をもたらすようにコントロールカラム６６のハード制御を反映することもできる。いくつかの実施形態では、情報／メニューパネル５６が、各オペレータ６４のユーザ名／パスワードアクセスを含むことができ、オペレータが保存したディスプレイシステム３６の設定をロードすることができる。さらに、メニューパネル５６は、オペレータによる明確化を必要とする状態が自動検知によって示された時、又はオペレータ６４が特定の場所／状態を選択した時に、ディスプレイシステム３６の他の側面と連動して、関連する複数のセンサ（又は関連する１つのセンサ）の性質と、センサ又は関連するエリアの一般的な場所及び／又は特定の場所を記述する自然言語を含むことができる場所とを示すように構成される。
【００３５】
図４は、本開示の実施形態による、図２のディスプレイシステム３６の表示壁６０の実施形態の概略図である。図示の実施形態では、表示壁６０が、コース１３沿いに位置する監視カメラからのカメラフィードの表示を含むことができる。とりわけ、これらのカメラフィードはディスプレイアレイ６２内に表示することができ、３パネルインターフェイス５０（及び／又は乗り物概観パネル５２及び／又は単独画面５４０）を凌駕するビデオデータの壁部として配置することができる。いくつかの実施形態では、アレイ６２が、単一のディスプレイ（例えば、画面）、ピクセルボード壁、個々のカメラフィードを有する個々の画面の集合、又はそれぞれが別個のカメラフィードからの複数のビューに再分割された複数の画面を含むことができる。
【００３６】
いくつかの実施形態では、表示壁６０上のディスプレイパネル６２が、推定されるオペレータの目の位置から一定の距離に（例えば、ｚ方向９８に）位置することができる。とりわけ、ディスプレイアレイ６２は、合計ビューの数と、全体的な高さ及び幅のサイズとを、最下行のビュー１０２が３パネルインターフェイス５０などのいずれの特徴にも妨げられず、最上行のビュー１０４が概ね中立的な頭部及び頸部の位置を維持するのに必要なほどの低さであるように最適化することができる。いくつかの実施形態では、平均的なオペレータの眼と耳の面又はそれよりも下方においてこれらを最適に達成することができ、外側列１０６は、中心線から縁部までの６０°の視野角１０８内に存在することができる。各個々のディスプレイ６２のサイズは、オペレータが気付くことが望ましい又はそのように計画された最も小さな細部が、与えられた視聴距離でオペレータ６４の大半が検出できるほど十分に大きいことを保証することができる。いくつかの実施形態では、ディスプレイパネル６２が作動することができる。例えば、ディスプレイパネル６２は、位置（例えば、水平及び／又は垂直）調整を可能にする軌道に結合することができる。さらに、いくつかの実施形態では、ディスプレイパネル６２が、壁からオペレータ６４の座席エリアに向って（ｚ方向９８に沿って）拡張し、従ってパネル６２がオペレータ６４に近付くように作動することができる。例えば、具体的には、特定のオペレータの望ましい視野角に対応するようにディスプレイパネル６２をレール１０９に沿って上方に（又は別様に）動かすことができる。さらに、ログイン時には、ログインしたオペレータ６４の設定に基づいて、レール１０９に結合された電動機構（又は拡張装置などの他の作動機構）を通じてディスプレイパネル６２を自動的に調整することもできる。さらに、進行前にチームメンバー忠告メモの再検討及び却下を行うためにオペレータ６５ログインを必要とすることもできる。本実施形態は、アクティブなチームメンバー忠告メモのデジタル掲示板をアーカイブ内に維持することができる。
【００３７】
図５に、本実施形態によるディスプレイパネル例６２を示す。例えば、ディスプレイパネル６２は、対応するフィードを含む複数のディスプレイ（例えば、液晶ディスプレイ）、単一の細分化されたディスプレイ、又は複数の細分化されたディスプレイを含むことができる。従来、オペレータ６４は、制御室３４において提供される様々なビデオフィードの取り合わせをモニタする際に、画像を１つ１つスキャンする手順を使用する。しかしながら、今では、パターン認識を制限する可能性がある個別のビデオ視聴を避けることによってオペレータの意思決定を容易にできることが認識されている。例えば、オペレータは、限られた文脈の中で映像が疑わしいと気付いても、アトラクションの可動停止を避けるためにメンテナンスが望ましい可能性がある旨を示唆する特定のパターンを識別できないことがある。本実施形態は、将来的な状況の予測を促すことによって望ましい制御動作についてのオペレータ評価を容易にするとともに、オペレータによる適切な追加情報の素早い特定を可能にすることによってパターン認識及び確固たる状況認識を容易にする。具体的に言えば、例えば本実施形態は、ビュー１１０（例えば、カメラフィードからの表示画像）をビュー１１０の行列１１１として左から右に、そして上から下に論理的順序で（例えば、乗り物車両１１がコース１３を通じて進む際のカメラゾーン内の漸進的車両占有及び結果的な乗り物車両１１の画像キャプチャに従って）配置することによってこれを達成する。これは、ディスプレイパネル６２に利用されているディスプレイ画面の数とは無関係に行うことができる。さらに、論理的順序の側面としていくつかのビューを他のビューから分離することもできる。例えば、ディスプレイのサブセット１１２は、乗り物フローの一部とみなされない歩行者ゾーン（例えば、入場又は退場する来園者の待ち行列エリア）に対応することができる。これにより、オペレータ６４側における一定レベルの視覚的刺激（例えば、歩行者の動き）の認知的負荷フィルタリングが軽減又は排除される。すなわち、異なるタイプのビューを分離することにより、オペレータ６４がさらなる評価に値する関心のある活動を識別する態勢を以前よりも整えることができる。
【００３８】
１つの実施形態では、制御システム３８が、アトラクション動作に関連するパターン及び進行を強調する動的な及び／又は不変の視覚的刺激を提供することによって、状況認識及び改善されたオペレータ評価を促すことができる。例えば、具体的に言えば、本実施形態は、オペレータの注意をアクティブな領域に向けるように、乗り物車両がどこでフレーム内に進入してその後に退出するかについてのグラフィック指示１１６を提供することができる。グラフィック指示１１６は、強調表示ボックス、矢印、ポインタ、背景色の変化などを含むことができる。いくつかの実施形態では、センサによる検出に基づいて、関連するシーンへの乗り物車両１１の移行が閾値時間内になるまで又は目前に迫るまでグラフィック指示１１６が隠れている。例えば、乗り物の進行に基づいて乗り物車両が一定時間内に次のカメラゾーンに移動する旨又はそれが差し迫っている旨を示唆するセンサによって乗り物車両がカメラゾーン内で検出されると、ディスプレイ上の乗り物が到達する次のカメラフィードの位置を作動させて、ディスプレイパネル６２上の適切な位置にオペレータの注意を導くことができる。この特徴は、戦略的に配置されたポインタ１１７、グラフィック１１８によって示すようなカメラゾーンのビュー全体の強調表示、又はグラフィック１２０によって示すようなカメラゾーン内の特定の位置の強調表示を含むことができる。このような特徴とさらなる特徴との組み合わせを使用することもできる。さらに、単一のビュー又はディスプレイ内で乗り物車両１１の複数の入口点又は出口点（入口インジケータ及び出口インジケータ）を強調表示し、これらのインジケータ又は強調表示を半透明としてレンダリングすることもできる。
【００３９】
さらに、制御システム３８は、連続するカメラインジケータ１３０（文字又は数字）を示すことによって、各ビュー１１０上にグラフィックラベルを重ね合わせるように動作することもできる。情報を単純化するために、このインジケータは、画像として表示されている位置（カメラゾーン）の（シーン番号又は構造インデックスではなく）カメラインジケータ１３０のみとすることができる。カメラインジケータ１３０は、判読できるために必要なものよりも大きいが、画像を覆い隠さないように配置され、半透明に見えるようにレンダリングすることもできる。図５の実施形態では、カメラインジケータ「３」が異なる位置に存在するが、他の実施形態では、オペレータ６４側の情報検索時間を制限して関心ビューの素早い選択を促すように、（図５の他の全てのビュー１１０と同様に）各ビュー１１０についてカメラインジケータ１３０が一貫して配置される。これらのカメラインジケータ１３０は、ビュー１１０内の特定のビュー１１０及び位置の参照を容易にすることができる。例えば、あるビューが、対応するカメラゾーン内に位置する乗り物車両を表示している場合、入口点を示すマーカーは、（少なくとも直近のビューが先行するカメラ視野でない時には）直前のカメラゾーン及び表示への参照を含むことができる。さらに、ディスプレイ内の出口点の指示は、次に乗り物車両が表示されるディスプレイのカメラ番号への参照を示すことができる。従って、第１のカメラゾーンを通過する乗り物車両をディスプレイパネル６２の第１のタイル又はパネル上に表示できるとすると、強調表示された入口点又は出口点は、前の又は次のカメラゾーン内の乗り物車両を示した又は示す前の又は次のディスプレイを指示することができる。これにより、オペレータ６４による様々なゾーンの、並びに特定の車両及び乗員の進行のモニタリングが容易になる。さらに、例えば単独パネル５４からもアクセスされた情報又は（例えば、センサデータに基づいて）別様に注意を必要とする情報をどのパネル６２が有するかを示すために、ディスプレイパネル６２上に独特の指示（例えば、フレーム色、変動する明るさ）を示すこともできる。
【００４０】
いくつかの実施形態では、乗り物車両１３の画像をゴースト表示して、乗り物車両の予測経路又は前回の経路を示すこともできる。この画像１２４によって示すようなゴースト表示は、過去の画像データに基づくことができ、オペレータは、これを使用して典型的な動作からの逸脱（例えば、軌道要素内の過剰な揺れ）を識別することができる。具体例として、経験的に取得された過去のゴースト表示データは、乗り物車両１１が、カメラゾーンを通過する際に明確に定められた位置限度内に存在すべきである旨を示唆することができる。一方で、この限度から外れた動きは異常動作（例えば、過剰な揺れ）を示唆することができる。いくつかの実施形態では、（カメラ及び他のセンサを含むことができる）制御システム３８の専用カメラ及び／又はソフトウェアが、限度から外れた動きを示す視覚データを図形的に示すことができる。
【００４１】
本明細書では、本開示のいくつかの特徴のみを図示し説明したが、当業者には多くの修正及び変更が思い浮かぶであろう。従って、添付の特許請求の範囲は、本開示の実際の趣旨に該当する全てのこのような修正及び変更を含むものであると理解されたい。
【図１】
2019535425.tif 000003
【図２】
2019535425.tif 000004
【図３】
2019535425.tif 000005
【図４】
2019535425.tif 000006
【図５】
2019535425.tif 000007
【国際調査報告】
2019535425.tif 000008
2019535425.tif 000009
2019535425.tif 000010